(57)【要約】【課題】可動アゴを動作させるためのネジや油圧シリンダ等の駆動アクチュエータが不要でコストを削減でき、かつ、固定アゴ部と可動アゴ部からバケット連結ピンが外れることを確実に防止できる建設機械のバケット取付け構造および建設機械を提供すること。【解決手段】建設機械の作動アーム３ａ先端部に取り付けられた固定アゴ部１ａおよびバケット駆動シリンダ３ｂから伸縮するピストン３ｂ１先端部にバケットリンク３ｃを介して取り付けられた可動アゴ部１ｂは、それぞれ、一端開放でバケット連結ピン２ａ，２ｂの外周面に応じた断面半円弧状の半円弧状係合部を有すると共に、その半円弧状係合部に連結ピン２ａ，２ｂを係合させた後、回動やスライド等して固定アゴ部１ａおよび可動アゴ部１ｂの半円弧状係合部の一端開放側を閉塞して半円弧状係合部との間でパケット連結ピン２ａ，２ｂを支持する断面半円弧状の半円弧状閉塞部を有する。【選択図】図１
2015017484.tif 000002
【特許請求の範囲】
【請求項１】
バケットの後部部に所定間隔を空けて設けられた２本のバケット連結ピンそれぞれにパワーショベル等の建設機械の作動アーム先端部に取り付けられた固定アゴ部と、バケット駆動シリンダから伸縮するピストン先端部にバケットリンクを介して取り付けられた可動アゴ部とを係合させてバケットを取付ける建設機械のバケット取付け構造であって、
前記固定アゴ部および前記可動アゴ部は、それぞれ、一端開放でバケット連結ピンの外周面に応じた断面半円弧状の半円弧状係合部を有すると共に、その半円弧状係合部に連結ピンを係合させた後、その半円弧状係合部の一端開放側を閉塞して前記半円弧状係合部との間でパケット連結ピンを支持する断面半円弧状の半円弧状閉塞部を有することを特徴とする建設機械のバケット取付け構造。
【請求項２】
請求項１記載の建設機械のバケット取付け構造において、
前記可動アゴ部は、前記固定アゴ部に対しスライド可能に設けられており、前記固定アゴ部の半円弧状係合部を一方のバケット連結ピンに係合させた後、前記可動アゴ部を前記固定アゴ部に対しスライドさせて前記可動アゴ部の半円弧状係合部を他方のバケット連結ピンに係合させることを特徴とする建設機械のバケット取付け構造。
【請求項３】
請求項１または請求項２記載の建設機械のバケット取付け構造において、
前記固定アゴ部および前記可動アゴ部の半円弧状閉塞部は、それぞれ、回転軸を介して回転可能に前記固定アゴ部または前記可動アゴ部に設けられた回動式半円弧状閉塞部であり、その半円弧状係合部にそれぞれバケット連結ピンを係合させた後、前記回動式半円弧状閉塞部をその回転軸を介し回転させて前記バケット連結ピンを介し対向する半円弧状係合部の一端開放側を塞ぐことによりバケット連結ピンを支持するように構成されていると共に、前記回動式半円弧状閉塞部を回動させてバケット連結ピンを支持させた状態をロックピンによってロックすることを特徴とする建設機械のバケット取付け構造。
【請求項４】
請求項３記載の建設機械のバケット取付け構造において、
前記回動式半円弧状閉塞部は、第１回動式半円弧状閉塞部片と第２回動式半円弧状閉塞部片とが回動ピンを介して回動可能に連結して構成されており、
前記第１回動式半円弧状閉塞部片は、基端側が回動ピンを介して前記第２回動式半円弧状閉塞部片の先端側に回動可能に連結される一方、先端側にバケット連結ピンの外周面に応じた半円弧状当接部を有し、その半円弧状当接部と前記可動アゴ部または前記可動アゴ部の半円弧状係合部との間でバケット連結ピンを挟持して支持し、
前記第２回動式半円弧状閉塞部片は、先端側が回動ピンを介して前記第１回動式半円弧状閉塞部片の基端側に回動可能に連結される一方、基端側が回動軸を介して前記可動アゴ部または前記可動アゴ部に回動可能に取付けられており、前記第１回動式半円弧状閉塞部片の半円弧状当接部と前記可動アゴ部または前記可動アゴ部の半円弧状係合部との間でバケット連結ピンを挟んで支持している場合、前記回動ピンと前記回動軸との間の内側面が半円弧状係合部の外周面に当接することを特徴とする建設機械のバケット取付け構造。
【請求項５】
請求項１または請求項２記載の建設機械のバケット取付け構造において、
前記固定アゴ部および前記可動アゴ部の半円弧状閉塞部は、それぞれバケットのバケット連結ピンの外周に沿ってスライド可能なスライド式半円弧状閉塞部であり、前記固定アゴ部または前記可動アゴ部の半円弧状係合部にそれぞれバケット連結ピンに係合させた後、前記スライド式半円弧状閉塞部をそのバケット連結ピンの外周に沿ってスライドさせてその半円弧状係合部の一端開放側を塞ぐことによりバケット連結ピンを支持するように構成されていると共に、前記スライド式半円弧状閉塞部をスライドさせてバケット連結ピンを支持させた状態をロックピンによってロックすることを特徴とする建設機械のバケット取付け構造。
【請求項６】
請求項１〜請求項５のいずれか１の請求項に記載の建設機械のバケット取付け構造を備えたことを特徴とする建設機械。
【発明の詳細な説明】
【技術分野】
【０００１】
本発明は、パワーショベル等の建設機械のバケットの取付け構造および建設機械に関する。
【背景技術】
【０００２】
従来より、パワーショベル等の建設機械のバケットの取付け構造として、バケットの後部部に所定間隔を空けて設けられた２本のバケット連結ピンにそれぞれ一端開放の固定アゴ部と可動アゴ部とを係合させた後、規制材とコイルばね等により固定アゴ部から可動アゴ部が離れるように付勢する構造や（例えば、特許文献１参照。）、ネジ等を駆動させることによって可動アゴ部を固定アゴ部から離れるように付勢したり（例えば、特許文献２参照。）、さらには専用の油圧シリンダによって可動アゴ部を固定アゴ部から離れるように付勢する構造（例えば、特許文献３参照。）が提案されている。
【先行技術文献】
【特許文献】
【０００３】
【特許文献１】特開２０１１−２３１５０５号公報
【特許文献２】実用新案登録第３１３４６９６号公報
【特許文献３】特開平２００６−１６９８８６号公報
【発明の概要】
【発明が解決しようとする課題】
【０００４】
しかし、上述の特許文献１〜３に記載の建設機械のバケット取付け構造では、一端開放の固定アゴ部と可動アゴ部にそれぞれバケット連結ピンを係合させた後、規制材とコイルばねや、ネジまたは油圧シリンダ等によって固定アゴ部から可動アゴ部が離れるように付勢する必要があるため、その分だけコストが増大するという問題があった。
【０００５】
また、ネジまたは油圧シリンダ等によって固定アゴ部から可動アゴ部が離れるように付勢しているものの、バケット連結ピンが係合している固定アゴ部と可動アゴ部とは、その一端が開放したままであるため、バケット連結ピンが外れるおそれもあった。
【０００６】
そこで、本発明は、このような問題点に着目してなされたもので、可動アゴを動作させるためのネジや油圧シリンダ等の駆動アクチュエータが不要でコストを削減でき、かつ、固定アゴ部と可動アゴ部からバケット連結ピンが外れることを確実に防止できる建設機械のバケット取付け構造および建設機械を提供することを目的とする。
【課題を解決するための手段】
【０００７】
前記課題を解決するため、本発明の建設機械のバケット取付け構造は、バケットの後部部に所定間隔を空けて設けられた２本のバケット連結ピンそれぞれにパワーショベル等の建設機械の作動アーム先端部に取り付けられた固定アゴ部と、バケット駆動シリンダから伸縮するピストン先端部にバケットリンクを介して取り付けられた可動アゴ部とを係合させてバケットを取付ける建設機械のバケット取付け構造であって、前記固定アゴ部および前記可動アゴ部は、それぞれ、一端開放でバケット連結ピンの外周面に応じた断面半円弧状の半円弧状係合部を有すると共に、その半円弧状係合部に連結ピンを係合させた後、その半円弧状係合部の一端開放側を閉塞して前記半円弧状係合部との間でパケット連結ピンを支持する断面半円弧状の半円弧状閉塞部を有することを特徴とする。
ここで、前記可動アゴ部は、前記固定アゴ部に対しスライド可能に設けられており、前記固定アゴ部の半円弧状係合部を一方のバケット連結ピンに係合させた後、前記可動アゴ部を前記固定アゴ部に対しスライドさせて前記可動アゴ部の半円弧状係合部を他方のバケット連結ピンに係合させるようにすると良い。
また、前記固定アゴ部および前記可動アゴ部の半円弧状閉塞部は、それぞれ、回転軸を介して回転可能に前記固定アゴ部または前記可動アゴ部に設けられた回動式半円弧状閉塞部であり、その半円弧状係合部にそれぞれバケット連結ピンを係合させた後、前記回動式半円弧状閉塞部をその回転軸を介し回転させて前記バケット連結ピンを介し対向する半円弧状係合部の一端開放側を塞ぐことによりバケット連結ピンを支持するように構成されていると共に、前記回動式半円弧状閉塞部を回動させてバケット連結ピンを支持させた状態をロックピンによってロックするようにするとさらに良い。
また、前記回動式半円弧状閉塞部は、第１回動式半円弧状閉塞部片と第２回動式半円弧状閉塞部片とが回動ピンを介して回動可能に連結して構成されており、前記第１回動式半円弧状閉塞部片は、基端側が回動ピンを介して前記第２回動式半円弧状閉塞部片の先端側に回動可能に連結される一方、先端側にバケット連結ピンの外周面に応じた半円弧状当接部を有し、その半円弧状当接部と前記可動アゴ部または前記可動アゴ部の半円弧状係合部との間でバケット連結ピンを挟持して支持し、前記第２回動式半円弧状閉塞部片は、先端側が回動ピンを介して前記第１回動式半円弧状閉塞部片の基端側に回動可能に連結される一方、基端側が回動軸を介して前記可動アゴ部または前記可動アゴ部に回動可能に取付けられており、前記第１回動式半円弧状閉塞部片の半円弧状当接部と前記可動アゴ部または前記可動アゴ部の半円弧状係合部との間でバケット連結ピンを挟んで支持している場合、前記回動ピンと前記回動軸との間の内側面が半円弧状係合部の外周面に当接するようにするとさらに良い。
また、前記固定アゴ部および前記可動アゴ部の半円弧状閉塞部は、それぞれバケットのバケット連結ピンの外周に沿ってスライド可能なスライド式半円弧状閉塞部であり、前記固定アゴ部または前記可動アゴ部の半円弧状係合部にそれぞれバケット連結ピンに係合させた後、前記スライド式半円弧状閉塞部をそのバケット連結ピンの外周に沿ってスライドさせてその半円弧状係合部の一端開放側を塞ぐことによりバケット連結ピンを支持するように構成されていると共に、前記スライド式半円弧状閉塞部をスライドさせてバケット連結ピンを支持させた状態をロックピンによってロックするようにしても良い。
また、本発明に係る建設機械は、上述の建設機械のバケット取付け構造を備えたことを特徴とする。
【発明の効果】
【０００８】
本発明に係る建設機械のバケット取付け構造および建設機械では、固定アゴ部および可動アゴ部は、それぞれ、一端開放でバケット連結ピンの外周面に応じた断面半円弧状の半円弧状係合部を有すると共に、その半円弧状係合部に連結ピンを係合させた後、その半円弧状係合部の一端開放側を閉塞して半円弧状係合部との間でパケット連結ピンを支持する断面半円弧状の半円弧状閉塞部を有するため、可動アゴを動作させるためのネジや油圧シリンダ等の駆動アクチュエータが不要でコストを削減できると共に、固定アゴ部と可動アゴ部からバケット連結ピンが外れることを確実に防止できる。
【図面の簡単な説明】
【０００９】
【図１】本発明に係る建設機械のバケット取付け構造を介して作動アームにバケットを取付ける際の状態を示す正面図である。
【図２】本発明に係る建設機械のバケット取付け構造の平面図である。
【図３】本発明に係る建設機械のバケット取付け構造の底面図である。
【図４】本発明に係る建設機械のバケット取付け構造の断面図である。
【図５】本発明に係る建設機械のバケット取付け構造の動作状態（固定アゴ部のみ連結ピンに係合した状態）を示す断面図である。
【図６】本発明に係る建設機械のバケット取付け構造の動作状態（固定アゴ部および可動アゴ部が連結ピンに係合した状態）を示す断面図である。
【図７】本発明に係る建設機械のバケット取付け構造の動作状態（回動式半円弧状閉塞部による連結ピンを支持し、ロックピン挿入前の状態）を示す断面図である。
【図８】本発明に係る建設機械のバケット取付け構造の動作状態（回動式半円弧状閉塞部による連結ピンを支持し、ロックピン挿入後の状態）を示す断面図である。
【図９】回動式半円弧状閉塞部による連結ピンの支持状態を詳細に示す断面図である。
【図１０】２段式回動式半円弧状閉塞部の代わりにスライド式半円弧状閉塞部等を使用した建設機械のバケット取付け構造（スライド式半円弧状閉塞部の格納状態）を示す断面図である。
【図１１】２段式回動式半円弧状閉塞部の代わりにスライド式半円弧状閉塞部等を使用した建設機械のバケット取付け構造（スライド式半円弧状閉塞部による連結ピンの支持後の状態）を示す断面図である。
【図１２】（ａ）〜（ｃ）それぞれスライド式半円弧状閉塞部の格納状態、スライド状態、連結ピン支持状態を詳細に示す断面図である。
【図１３】本考案に係る建設機械のバケット取付け構造を可動アゴ部が固定アゴ部に対し支点ピンを介し回動可能に取り付けられた建設機械に適用した例を示す説明図である。
【図１４】本考案に係る建設機械のバケット取付け構造を可動アゴ部が固定アゴ部に対し支点ピンを介し回動可能に取り付けられた建設機械に適用した他の例を示す説明図である。
【図１５】本考案に係る建設機械のバケット取付け構造を可動アゴ部が固定アゴ部に対し支点ピンを介し回動可能に取り付けられた建設機械に適用した他の例を示す説明図である。
【発明を実施するための形態】
【００１０】
以下、本発明に係る実施の形態の建設機械とそのバケット取付け構造（装置または機構）１について図面を参照しながら具体的に説明する。
【００１１】
＜建設機械のバケット取付け構造１の構成＞
本発明の建設機械のバケット取付け構造１は、図１に示すように、バケット２の後部部に所定間隔を空けて設けられた２本のバケット連結ピン２ａ，２ｂそれぞれにパワーショベル等の建設機械（図示省略。）の作動アーム３ａ先端部に取り付けられた固定アゴ部１ａと、バケット駆動シリンダ３ｂから伸縮するピストン３ｂ１先端部にバケットリンク３ｃを介して取り付けられた可動アゴ部１ｂとを係合させてバケット２を取付けるものである。なお、図１において、３ｄは、作動アーム３ａに基端部が回動可能に連結される一方、バケット駆動シリンダ３ｂから伸縮するピストン３ｂ１の先端部とバケットリンク３ｃの基端部に先端部が回動可能に連結されたアームリンクである。なお、バケット取付け構造１以外のバケット２や、作動アーム３ａ、バケット駆動シリンダ３ｂ、バケットリンク３ｃ、アームリンク３ｄ等の構成や連結構造は、従来のものと同じで周知である。
【００１２】
本発明に係る実施形態のバケット取付け構造１は、図１〜図８に示すように、固定アゴ部１ａと、可動アゴ部１ｂとから構成されている。
【００１３】
固定アゴ部１ａは、図４に示すように建設機械の作動アーム３ａの先端部に固定アゴ連結ピン３ａ１を介して固定側連結板１ａ１が回動可能に連結されており、その固定側連結板１ａ１の下端部には、第１固定基板１ａ２を介して固定側フック板１ａ３が取り付けられている。
【００１４】
固定側フック板１ａ３には、バケット連結ピン２ａに係合する一端開放でかつバケット連結ピン２ａの外周面に応じたほぼ断面半円弧状の半円弧状係合部１ａ３１と、抜差し式ロックピン１ａ３３が挿入されるロックピン用抜差し孔１ａ３２と、回動ピン１ａ３７で回動可能に連結され、回動軸１ａ３４を介して回動することによりバケット連結ピン２ａを支持する２段式回動式半円弧状閉塞部を構成する第１回動式半円弧状閉塞部片１ａ３５および第２回動式半円弧状閉塞部片１ａ３６と、ハンドル１ａ３８とが設けられている。
【００１５】
つまり、第１回動式半円弧状閉塞部片１ａ３５は、図８や図９に示すように基端側が回動ピン１ａ３７を介して第２回動式半円弧状閉塞部片１ａ３６の先端側に回動可能に連結される一方、先端側にバケット連結ピン２ａの外周面に応じた半円弧状当接部１ａ３５ａを有し、その半円弧状当接部１ａ３５ａと固定アゴ部１ａの半円弧状係合部１ａ３１との間でバケット連結ピン２ａを挟持して支持する。
【００１６】
第２回動式半円弧状閉塞部片１ａ３６は、図８や図９に示すように先端側が回動ピン１ａ３７を介して第１回動式半円弧状閉塞部片１ａ３５の基端側に回動可能に連結される一方、基端側が回動軸１ａ３４を介して固定アゴ部１ａに回動可能に取付けられている。そして、ロックピン用抜差し孔１ａ３２に抜差し式ロックピン１ａ３３が挿入され、第１回動式半円弧状閉塞部片１ａ３５の半円弧状当接部１ａ３５ａと固定アゴ部１ａの半円弧状係合部１ａ３１との間でバケット連結ピン２ａを挟んで支持している場合、図９に示すように第２回動式半円弧状閉塞部片１ａ３６における回動ピン１ａ３７と回動軸１ａ３４との間の内側面１ａ３６ａが半円弧状係合部１ａ３１の外周面１ａ３１ａに当接して、半円弧状係合部１ａ３１を介してバケット連結ピン２ａにかかる力を受ける。なお、このようにバケット連結ピン２ａを挟んで支持している場合、第１回動式半円弧状閉塞部片１ａ３５両側の端部と、固定アゴ部１ａの半円弧状係合部１ａ３１両側の端部とは接触していても、接触しなくてもどちらでも良いが、この実施形態では、後述する図８や図９に示すように第１回動式半円弧状閉塞部片１ａ３５の両端部と、固定アゴ部１ａの半円弧状係合部１ａ３１の両端部とは接触してなく、両端部間の内周面がバケット連結ピン２ａをその両側から密接状態で確実に挟持する。
【００１７】
また、第１固定基板１ａ２には、所定角度で第２固定基板１ａ４が溶接等によって接合されており、この第２固定基板１ａ４には、可動アゴ部１ｂを第２固定基板１ａ４に沿って図４上Ｘ方向にスライドさせるためのスライド用ガイド孔１ａ４１が形成されている。
【００１８】
可動アゴ部１ｂは、図１に示すようにバケット駆動シリンダ３ｂから伸縮するピストン３ｂ１先端部にバケットリンク３ｃを介して取り付けられ、固定アゴ部１ａに対しスライド可能に設けられている。具体的には、可動アゴ部１ｂは、図４に示すようにバケットリンク３ｃの先端部にバケット連結ピン２ｃ１を介して可動側連結部１ｂ１が回動可能に連結されており、その可動側連結部１ｂ１の下端部には、スライド基板１ｂ２を介して可動側フック板１ｂ３が取り付けられている。
【００１９】
可動側フック板１ｂ３には、バケット連結ピン２ｂ１に係合する半円弧状係合部１ｂ３１と、ロックピン１ｂ３３が挿入されるロックピン用抜差し孔１ｂ３２と、回動ピン１ｂ３７で回動可能に連結され、回動軸１ｂ３４を介して回動することによりバケット連結ピン２ｂ１をロックする２段式回動式半円弧状閉塞部を構成する第１回動式半円弧状閉塞部片１ｂ３５および第２回動式半円弧状閉塞部片１ｂ３６と、ハンドル１ｂ３８とが設けられている。なお、可動側フック板１ｂ３側の第１回動式半円弧状閉塞部片１ｂ３５および第２回動式半円弧状閉塞部片１ｂ３６も、図９に示す固定側フック板１ａ３側の第１回動式半円弧状閉塞部片１ａ３５および第２回動式半円弧状閉塞部片１ａ３６と同様に構成されており、第１回動式半円弧状閉塞部片１ｂ３５の半円弧状当接部と固定アゴ部１ｂの半円弧状係合部１ｂ３１との間でバケット連結ピン２ａを挟んで支持している場合、第２回動式半円弧状閉塞部片１ｂ３６における回動ピン１ｂ３７と回動軸１ｂ３４との間の内側面が半円弧状係合部１ｂ３１の外周面に当接して、半円弧状係合部１ｂ３１を介してバケット連結ピン２ｂにかかる力を受ける。
【００２０】
＜建設機械のバケット取付け構造１を使用したバケット２の取付け方法＞
次に、本実施形態の建設機械のバケット取付け構造１を使用したバケット２の取付け方法について説明する。
【００２１】
まず、作業者がこの建設機械のアームシリンダ（図示せず。）等を駆動させて作動アーム３ａを動作させて、固定アゴ部１ａの固定側フック板１ａ３を、バケット２の後端部の一方のバケット連結ピン２ａに係合させる。なお、この状態では、バケット駆動シリンダ３ｂのピストン３ｂ１（図１参照。）は縮んでおり、固定側フック板１ａ３の半円弧状係合部１ａ３１と可動側フック板１ｂ３の半円弧状係合部１ｂ３１との間は、図４に示すようにバケット２後部部のバケット連結ピン２ａ，２ｂ間よりも狭い状態にある。
【００２２】
次に、作業者がこの建設機械のバケット駆動シリンダ３ｂを駆動してピストン３ｂ１を伸ばして、図５に示すようにこの第２固定基板１ａ４のスライド用ガイド孔１ａ４１に従って、可動アゴ部１ｂを第２固定基板１ａ４に沿ってＸ方向にスライドさせて、可動側フック板１ｂ３の半円弧状係合部１ｂ３１をバケット２後部部のバケット連結ピン２ｂの方向へ移動させる。
【００２３】
そして、図６に示すように可動側フック板１ｂ３の半円弧状係合部１ｂ３１がバケット２後部部のバケット連結ピン２ｂに当たり、半円弧状係合部１ａ３１と半円弧状係合部１ｂ３１がそれぞれバケット２後部部のバケット連結ピン２ａ，２ｂに係合すると、作業者は固定側フック板１ａ３および可動側フック板１ｂ３のロックピン用抜差し孔１ａ３２，１ｂ３２それぞれから抜差し式ロックピン１ａ３３，１ｂ３３を抜く。
【００２４】
そして、作業者は、図７に示すように固定アゴ部１ａのハンドル１ａ３８をＹ方向（図８上、反時計回り。）に回す一方、可動アゴ部１ｂのハンドル１ｂ３８をＹ’方向（図８上、時計回り。）に回して、回動軸１ａ３４，１ｂ３４それぞれを介して２段式回動式半円弧状閉塞部を構成する第１回動式半円弧状閉塞部片１ａ３５，１ｂ３５および第２回動式半円弧状閉塞部片１ａ３６，１ｂ３６を回動させ、半円弧状係合部１ａ３１と半円弧状係合部１ｂ３１の開放端側を塞ぐ。
【００２５】
最後に、作業者は、図８に示すように固定側フック板１ａ３および可動側フック板１ｂ３のロックピン用抜差し孔１ａ３２，１ｂ３２それぞれに抜差し式ロックピン１ａ３３，１ｂ３３を差し入れて２段式回動式半円弧状閉塞部を構成する第１回動式半円弧状閉塞部片１ａ３５，１ｂ３５および第２回動式半円弧状閉塞部片１ａ３６，１ｂ３６の回動をロックして、２段式回動式半円弧状閉塞部を構成する第１回動式半円弧状閉塞部片１ａ３５，１ｂ３５および第２回動式半円弧状閉塞部片１ａ３６，１ｂ３６によるバケット連結ピン２ａ，２ｂの支持状態をロックする。
【００２６】
以上説明したように、本実施形態の建設機械のバケット取付け構造１では、可動アゴ部１ｂを固定アゴ部１ａに対しスライド可能に設け、固定アゴ部１ａを一方のバケット連結ピン２ａに係合させた後、バケット駆動シリンダ３ｂによって可動アゴ部１ｂを固定アゴ部１ａに対しスライドさせて他方のバケット連結ピン２ｂに係合した後、２段式回動式半円弧状閉塞部を構成する第１回動式半円弧状閉塞部片１ａ３５，１ｂ３５および第２回動式半円弧状閉塞部片１ａ３６，１ｂ３６とをそれぞれ回動軸１ａ３４，１ｂ３４を中心に回動させて、固定アゴ部１ａおよび可動アゴ部１ｂの半円弧状係合部１ａ３１，１ｂ３１と２段式回動式半円弧状閉塞部を構成する第１回動式半円弧状閉塞部片１ａ３５，１ｂ３５との間で挟持してバケット連結ピン２ａ，２ｂを支持するようにしたため、可動アゴ１ｂを動作させるためのネジや油圧シリンダ等の駆動アクチュエータが不要でコストを削減できると共に、固定アゴ部１ａと可動アゴ部１ｂからバケット連結ピン２ａ，２ｂが外れることを確実に防止できる。
【００２７】
特に、本実施形態の建設機械のバケット取付け構造１では、第１回動式半円弧状閉塞部片１ａ３５の半円弧状当接部１ａ３５ａと固定アゴ部１ａの半円弧状係合部１ａ３１との間でバケット連結ピン２ａを挟んで支持している場合、図９に示すように第２回動式半円弧状閉塞部片１ａ３６における回動ピン１ａ３７と回動軸１ａ３４との間の内側面１ａ３６ａが半円弧状係合部１ａ３１の外周面１ａ３１ａに当接して半円弧状係合部１ａ３１を介してバケット連結ピン２ａにかかる力を受けるため、バケット連結ピン２ａ，２ｂにかかる力を第１回動式半円弧状閉塞部片１ａ３５，１ｂ３５と第２回動式半円弧状閉塞部片１ａ３６，１ｂ３６全体で受けることが可能になり、固定アゴ部１ａと可動アゴ部１ｂからバケット連結ピン２ａ，２ｂが外れることをより確実に防止できる。
【００２８】
なお、上記実施形態の説明では、固定アゴ部１ａの第２固定基板１ａ４にスライド用ガイド孔１ａ４１を設けて、可動アゴ部１ｂがスライド用ガイド孔１ａ４１に従ってスライドしてバケット連結ピン２ｂに係合させるように説明したが、本発明では、これに限らず、他に、リンク機構や、回転機構、印籠継ぎの関係、レール等を用いて、可動アゴ部１ｂが固定アゴ部１ａに対し平行移動や回転移動等によりスライドしてバケット連結ピン２ｂに係合できれば十分である。
【００２９】
また、上記実施形態の説明では、バケット２の取付け後、固定アゴ部１ａおよび可動アゴ部１ｂそれぞれに回転軸１ａ３４，１ｂ３４を介して取り付けた２段式回動式半円弧状閉塞部を構成する第１回動式半円弧状閉塞部片１ａ３５，１ｂ３５および第２回動式半円弧状閉塞部片１ａ３６，１ｂ３６を回動させた後、ロックピン用抜差し孔１ａ３２，１ｂ３２それぞれに抜差し式ロックピン１ａ３３，１ｂ３３を差し入れてバケット連結ピン２ａ，２ｂの支持状態をロックするように説明したが、本発明では、これに限らず、図１０〜図１３に示すように半円弧状係合部１ａ３１と半円弧状係合部１ｂ３１にそれぞれバケット２のバケット連結ピン２ａ，２ｂの外周に沿ってスライド（入出）するスライド式半円弧状閉塞部１ａ３９，１ｂ３９を設けても良い。
【００３０】
図１０は、２段式回動式半円弧状閉塞部の代わりにスライド式半円弧状閉塞部１ａ３９，１ｂ３９等を使用した建設機械のバケット取付け構造１（スライド式半円弧状閉塞部１ａ３９，１ｂ３９の格納状態）を示す断面図であり、図１１はスライド式半円弧状閉塞部１ａ３９，１ｂ３９等を使用した建設機械のバケット取付け構造１（スライド式半円弧状閉塞部１ａ３９，１ｂ３９による連結ピン２ａ，２ｂの支持後の状態）を示す断面図である。また、図１２（ａ）〜（ｃ）は、それぞれスライド式半円弧状閉塞部１ａ３９の格納状態、スライド状態、連結ピン２ａ支持状態を詳細に示す断面図である。
【００３１】
この場合、固定アゴ部１ａの半円弧状係合部１ａ３１および可動アゴ部１ｂの半円弧状係合部１ｂ３１にそれぞれバケット連結ピン２ａ，２ｂを係合させた後、まず、スライド式半円弧状閉塞部１ａ３９，１ｂ３９をそのバケット連結ピン２ａ，２ｂの外周に沿ってスライド（入出）させて半円弧状係合部１ａ３１と半円弧状係合部１ｂ３１の開放端側を塞ぐことにより、半円弧状係合部１ａ３１，１ｂ３１と半円弧状係合部１ａ３１，１ｂ３１とによりその外周面を覆うようにしてそれぞれバケット連結ピン２ａ，２ｂを支持する。
【００３２】
その後、スライド式半円弧状閉塞部１ａ３９，１ｂ３９によるバケット連結ピン２ａ，２ｂの支持状態の継続は、例えば、図１０や図１１に示すようにスライド式半円弧状閉塞部１ａ３９，１ｂ３９の被係合部１ａ３９ａ，１ｂ３９ａに係合する係合部１ａ４０ａ，１ｂ４０ａを有する回動式ロックピン１ａ４０，１ｂ４０等の回転によりスライド式半円弧状閉塞部１ａ３９，１ｂ３９のスライド状態をロックしてスライド式半円弧状閉塞部１ａ３９，１ｂ３９によるバケット連結ピン２ａ，２ｂによる支持状態をロックするようにしても良い。
【００３３】
なお、図１２（ａ），（ｃ）では、回動式ロックピン１ａ４０の係合部１ａ４０ａがスライド式半円弧状閉塞部１ａ３９の被係合部１ａ３９ａに係合してスライド式半円弧状閉塞部１ａ３９のスライド状態をロックしている状態を示す一方、図１２（ｂ）は、回動式ロックピン１ａ４０の係合部１ａ４０ａがそれぞれスライド式半円弧状閉塞部１ａ３９の凹部１ａ４０ｂに位置してスライド式半円弧状閉塞部１ａ３９はスライドフリー状態にある。
【００３４】
また、スライド式半円弧状閉塞部１ａ３９，１ｂ３９のスライド状態のロックは、回動式ロックピン１ａ４０，１ｂ４０等の回転に限定されることはなく、ロックできれば十分で、抜差し式ロックピン１ａ３３，１ｂ３３を用いても勿論良い。このことは、２段式回動式半円弧状閉塞部を構成する第１回動式半円弧状閉塞部片１ａ３５，１ｂ３５および第２回動式半円弧状閉塞部片１ａ３６，１ｂ３６の回動状態のロックも同様で、抜差し式ロックピン１ａ３３，１ｂ３３によるロックに限らず、他の手段によってロックするように構成しても良い。
【００３５】
また、上記実施の形態では、図１〜図１２に示すように、本考案に係る建設機械のバケット取付け構造１を、可動アゴ部１ｂが固定アゴ部１ａに対しスライド可能に取り付けた建設機械に適用して説明したが、本発明ではこれに限らず、可動アゴ部１ｂが固定アゴ部１ａに対し相対的に移動や回動等してバケットを取り付ける構造のものであれば当然に適用可能である。例えば、本考案に係る建設機械のバケット取付け構造１を、図１３および図１４に示すように、可動アゴ部１ｂが固定アゴ部１ａに対し支点ピン１ｃを介し回動可能に取り付けられた建設機械に適用するようにしても良いし、あるいは図１５に示すように図示しない可動アゴ部が固定アゴ部に対しＸ字（または十字）状に交差してその交点の支点ピン１ｃを介し回動可能に取り付けられた建設機械に適用するようにしても良い。
【符号の説明】
【００３６】
１  建設機械のバケット取付け構造
１ａ  固定アゴ部
１ａ１  固定側連結板
１ａ２  第１固定基板
１ａ３  固定側フック板
１ａ３１  半円弧状係合部
１ａ３２  ロックピン用抜差し孔
１ａ３３  抜差し式ロックピン
１ａ３５  第１回動式半円弧状閉塞部片
１ａ３６  第２回動式半円弧状閉塞部片
１ａ３９  スライド式半円弧状閉塞部
１ａ３９ａ  被係合部
１ａ４０  回動式ロックピン
１ａ４０ａ  係合部
１ａ４０ｂ  凹部
１ａ４  第２固定基板
１ａ４１  スライド用ガイド孔
１ｂ  可動アゴ部
１ｂ１  可動側連結部
１ｂ２  スライド基板
１ｂ３  可動側フック板
１ｂ３１  半円弧状係合部
１ｂ３２  ロックピン用抜差し孔
１ｂ３３  抜差し式ロックピン
１ｂ３５  第１回動式半円弧状閉塞部片
１ｂ３６  第２回動式半円弧状閉塞部片
１ｂ３９  スライド式半円弧状閉塞部
１ｂ３９ａ  被係合部
１ｂ４０  回動式ロックピン
１ｂ４０ａ  係合部
１ｂ４０ｂ  凹部
１ｃ  支点ピン
２  バケット
２ａ，２ｂ  連結ピン
３ａ  作動アーム
３ｂ  バケット駆動シリンダ
３ｂ１  ピストン
３ｃ  バケットリンク
３ｄ  アームリンク
【図１】
2015017484.tif 000003
【図２】
2015017484.tif 000004
【図３】
2015017484.tif 000005
【図４】
2015017484.tif 000006
【図５】
2015017484.tif 000007
【図６】
2015017484.tif 000008
【図７】
2015017484.tif 000009
【図８】
2015017484.tif 000010
【図９】
2015017484.tif 000011
【図１０】
2015017484.tif 000012
【図１１】
2015017484.tif 000013
【図１２】
2015017484.tif 000014
【図１３】
2015017484.tif 000015
【図１４】
2015017484.tif 000016
【図１５】
2015017484.tif 000017